(57)【要約】【課題】熱交換素子において、伝熱シートのたわみによる圧力損失の増加を抑制することを目的とする。【解決手段】所定間隔を設けて積層した複数の伝熱シート間に形成される通風路の一段おきに給気空気と排気空気を通風させてエネルギーを交換する熱交換素子であって、給気空気と排気空気の流入口および流出口以外の部分からの気流の漏れを防止する遮蔽リブと、給気空気を通風させる給気風路及び排気空気を通風させる排気風路に設けられた分割リブとを有し、給気空気の流入口と流出口および排気空気の流入口と流出口において、遮蔽リブと分割リブとを連結する連結リブを有する構成とする。【選択図】図２
2016151404.tif 000002
【特許請求の範囲】
【請求項１】
所定間隔を設けて積層した複数の伝熱シート間に形成される通風路の一段おきに給気空気と排気空気を通風させてエネルギーを交換する熱交換素子であって、
前記給気空気と前記排気空気の流入口および流出口以外の部分からの気流の漏れを防止する遮蔽リブと、
前記給気空気を通風させる給気風路及び前記排気空気を通風させる排気風路に設けられた分割リブとを有し、
前記給気空気の流入口と流出口および前記排気空気の流入口と流出口において、前記遮蔽リブと前記分割リブとを連結する連結リブを有することを特徴とする熱交換素子。
【請求項２】
前記連結リブを三角形もしくは台形の断面形状としたことを特徴とする請求項１に記載の熱交換素子。
【請求項３】
前記連結リブは、前記伝熱シートの折り曲げ部を介して、一段上にある遮蔽第２リブと接続されることを特徴とする請求項１または２に記載の熱交換素子。
【請求項４】
前記連結リブは、前記遮蔽リブおよび前記分割リブと一体化しており、前記遮蔽リブおよび前記分割リブよりも上に高く突出していることを特徴とする請求項３に記載の熱交換素子。
【請求項５】
前記連結リブは、前記遮蔽リブの一部および前記分割リブの一部の上面に設けられることを特徴とする請求項３に記載の熱交換素子。
【発明の詳細な説明】
【技術分野】
【０００１】
本発明は、家庭用の熱交換型換気扇やビルなどの熱交換型換気装置、またはその他の空気調和機などに使用する積層構造の熱交換素子に関する。
【背景技術】
【０００２】
従来、この種の熱交換素子は、遮蔽リブや分割リブを樹脂で成型する際に伝熱シートをインモールド成型し一体とするものが知られている。
【０００３】
以下、その熱交換素子について図４を参照しながら説明する。
【０００４】
図４に示すように、熱交換素子１０１は、所定間隔を設けて積層した複数の伝熱シート１０２間に形成される通風路の一段おきに給気空気Ａと排気空気Ｂを通風させて熱交換するものである。そして、伝熱シート１０２上には、給気空気Ａと排気空気Ｂの流入口１０７及び流出口１０８以外の部分からの気流の漏れを防止する遮蔽リブ１０９と、分割リブ１１０を備えている。この伝熱シート１０２は、遮蔽リブ１０９と分割リブ１１０を成型する際にインモールド成型され、一体となるようにした構成であった。
【先行技術文献】
【特許文献】
【０００５】
【特許文献１】特開２０１４−０６６３９７号公報
【発明の概要】
【発明が解決しようとする課題】
【０００６】
伝熱シートをインモールド成型する場合に、樹脂で構成される遮蔽リブや分割リブの成型収縮により伝熱シートがたわむ。これにより熱交換素子の圧力損失が増加するとう課題を有していた。
【０００７】
そこで本発明は、上記従来の課題を解決するものであり、熱交換素子の圧力損失の増加を効果的に抑制することを目的とする。
【課題を解決するための手段】
【０００８】
そして、この目的を達成するために、本発明の一態様に係る熱交換素子は、所定間隔を設けて積層した複数の伝熱シート間に形成される通風路の一段おきに給気空気と排気空気を通風させてエネルギーを交換する熱交換素子であって、給気空気と排気空気の流入口および流出口以外の部分からの気流の漏れを防止する遮蔽リブと、給気空気を通風させる給気風路及び排気空気を通風させる排気風路に設けられた分割リブとを有し、給気空気の流入口と流出口および排気空気の流入口と流出口において、遮蔽リブと分割リブとを連結する連結リブを有することを特徴とする熱交換素子としたものであり、これにより所期の目的を達成するものである。
【発明の効果】
【０００９】
本発明によれば、伝熱シートのたわみを防止し、熱交換素子の圧力損失の増加を効果的に抑制することができる。
【図面の簡単な説明】
【００１０】
【図１】本発明の実施の形態１の熱交換素子を示す概略斜視図
【図２】同熱交換素子を示す概略斜視図
【図３】本発明の実施の形態２の熱交換素子を示す概略斜視図
【図４】従来の熱交素子を示す概略斜視図
【発明を実施するための形態】
【００１１】
本発明の一態様に係る熱交換素子は、所定間隔を設けて積層した複数の伝熱シート間に形成される通風路の一段おきに給気空気と排気空気を通風させてエネルギーを交換する熱交換素子であって、給気空気と排気空気の流入口および流出口以外の部分からの気流の漏れを防止する遮蔽リブと、給気空気を通風させる給気風路及び排気空気を通風させる排気風路に設けられた分割リブとを有し、給気空気の流入口と流出口および排気空気の流入口と流出口において、遮蔽リブと分割リブとを連結する連結リブを有することとした。これにより、遮蔽リブと分割リブが連結されて構成されることとなり、伝熱シートを遮蔽リブと分割リブおよび連結リブに接続させる際に、位置決めと接続作業が容易となるのでインモールド成型する必要がなくなる。このため、リブ成型工程と伝熱シート接続工程とを分けることができる。従って、遮蔽リブや分割リブの成型収縮後に伝熱シートをリブに接続させることができるので、伝熱シートのたわみを防止し、熱交換素子の圧力損失の増加を効果的に抑制するという効果を奏する。
【００１２】
また、連結リブを三角形もしくは台形の断面形状とする構成にしてもよい。これにより、伝熱シートと連結リブが角度をもって接続することになるので、接着剤塗布や溶着作業といった接続作業が一方向からできるようになるという効果を奏する。
【００１３】
また、連結リブは、伝熱シートの折り曲げ部を介して、一段上にある遮蔽第２リブと接続される構成としてもよい。これにより、伝熱シートと連結リブ、および伝熱シートと遮蔽第２リブをより強固に接続することができる。
【００１４】
また、連結リブは、遮蔽リブおよび分割リブと一体化しており、遮蔽リブおよび分割リブよりも上に高く突出する構成としてもよい。これにより、給気空気の流入口と流出口および排気空気の流入口と流出口を十分に確保することができるので、熱交換素子の圧力損失をさらに低減することができる。
【００１５】
また、連結リブは、遮蔽リブの一部および分割リブの一部の上面に設けられる構成としてもよい。これにより、給気空気の流入口と流出口および排気空気の流入口と流出口を十分に確保することができるので、熱交換素子の圧力損失をさらに低減することができる。
【００１６】
以下、本発明の実施の形態について図面を参照しながら説明する。
【００１７】
（実施の形態１）
本実施の形態の熱交換素子１は、図１に示すように、所定間隔を設けて積層した複数の伝熱シート２間に給気空気Ａを通風させる給気風路３と排気空気Ｂを通風させる排気風路４が交互に形成されるものである。
【００１８】
伝熱シート２は、外形を例えば六角形として、給気風路３と排気風路４が伝熱シート２を隔てて対向する対向部５と、給気風路３と排気風路４が伝熱シート２を隔てて斜交する斜交部６を有している。なお、伝熱シートとは、伝熱板または伝熱紙などの熱を伝えるシートのことである。
【００１９】
そして、図２に示すように、給気流入口７ａと排気流入口７ｂと、給気流出口８ａと排気流出口８ｂ以外の部分からの気流の漏れを防止する遮蔽リブ９と、給気風路及び排気風路に設けられた分割リブ１０とを有し、給気流入口７ａと排気流入口７ｂと、給気流出口８ａと排気流出口８ｂにおいて、遮蔽リブ９と分割リブ１０とを連結する連結リブ１１を有することとした。
【００２０】
なお、連結リブ１１は伝熱シート２の折り曲げ部１２ａを介して、一段上にある遮蔽リブ９（遮蔽第２リブ）と接続され、遮蔽リブ９及び分割リブ１０の上方に突出して設けてもよい。
【００２１】
本実施の形態によれば、遮蔽リブ９と分割リブ１０が連結されて構成されることとなる。このため、伝熱シート２を遮蔽リブ９および分割リブ１０および連結リブ１１に接着や溶着等の方法により接続させる際に位置決めと接続作業が容易となるので、金型の中に伝熱シート２をあらかじめ設置して樹脂材料を流し込むといったインモールド成型をする必要がなくなる。
【００２２】
このため、熱交換素子１を製造する際に、リブ成型工程と伝熱シート接続工程とを分けることができる。
【００２３】
従って、樹脂材料からなる遮蔽リブ９および分割リブ１０の成型収縮後にリブを伝熱シート２を接続させることになるので、伝熱シート２のたわみが抑制される。この結果、熱交換素子１の圧力損失の増加を効果的に抑制できる熱交換素子１を提供できる。
【００２４】
（実施の形態２）
図３において、図１および図２と同様の構成要素については同一の符号を付し、その詳細な説明は省略する。
【００２５】
図３において、連結リブ１１を三角形もしくは台形の断面形状としている。
【００２６】
連結リブ１１は伝熱シート２の折り曲げ部１２ｂを介して、一段上にある遮蔽リブ９（遮蔽第２リブ）と接続される。
【００２７】
これにより伝熱シート２と連結リブ１１が角度をもって接続することになる．このため、伝熱シート２を遮蔽リブ９および分割リブ１０および連結リブ１１に接続させる際に、接着剤塗布や溶着作業といった伝熱シート接続作業が一方向からできるという効果を奏する。
【産業上の利用可能性】
【００２８】
本発明は、家庭用の熱交換型換気扇やビルなどの熱交換型換気装置、またはその他の空気調和機などに使用する積層構造の熱交換素子に適用できる。
【符号の説明】
【００２９】
１  熱交換素子
２  伝熱シート
３  給気風路
４  排気風路
５  対向部
６  斜交部
７ａ  給気流入口
７ｂ  排気流入口
８ａ  給気流出口
８ｂ  排気流出口
９  遮蔽リブ
１０  分割リブ
１１  連結リブ
１２ａ  折り曲げ部
１２ｂ  折り曲げ部
【図１】
2016151404.tif 000003
【図２】
2016151404.tif 000004
【図３】
2016151404.tif 000005
【図４】
2016151404.tif 000006